(57)【要約】      （修正有）【課題】番組制作の効率を従来よりも高め、撮影現場での簡易的な番組内容の確認を可能にすることで、肝心な映像素材の撮影をし忘れることによる、番組制作の制作ロスをなくすことができる管理装置及び番組編集装置を提供する。【解決手段】撮影場所を示す属性及び撮影日時を示す属性に基づき、複数の映像素材を複数のワークグループに分類し、撮影計画表に示される複数の撮影場所のそれぞれと対応付けることにより映像素材を管理し、番組構成表における番組要素情報に記載された番組構造識別に基づき、映像素材を配列することにより番組の編集を行う。【選択図】図１
2008010112.tif 000002
【特許請求の範囲】
【請求項１】
映像素材ごとの撮影日時及び撮影場所を少なくとも示す撮影計画表に基づく撮影作業によって得られた複数の映像素材を管理する映像管理装置であって、
映像素材がもつ属性のうちの、撮影場所を示す属性及び撮影日時を示す属性に基づき、一連の撮影作業によって撮影された映像素材の組ごとに、複数の映像素材を複数のワークグループに分類する分類手段と、
分類手段により生成された複数のワークグループのうち、撮影場所を示す属性が撮影計画表に示される複数の撮影場所と同一になるものを、撮影計画表に示されるそれぞれの場所に対応付けて、撮影計画表において前記複数の撮影場所ごとに記述されていた情報を、各ワークグループに割り当てる割当手段と
を備えることを特徴とする映像管理装置。
【請求項２】
前記分類手段による分類は、
複数の映像素材の撮影日時を示す属性から撮影日時間の時間間隔を算出し、その時間間隔が一定値以下となる映像素材であって、撮影場所を示す属性が同じになるもの同士を、1つのグループにすることでなされる
ことを特徴とする請求項1記載の映像管理装置。
【請求項３】
前記撮影計画表には、複数の番組構造識別が記述されており、各番組構造識別は、撮影計画表に示されたそれぞれの撮影場所が、番組を構成する複数の構成要素のうち、どれを撮影するためのものであるかを示し、
前記割当手段による割当は、
ワークグループに対応する撮影場所に応じた番組構造識別を各ワークグループに対応付けることでなされる
ことを特徴とする請求項2記載の映像管理装置。
【請求項４】
請求項3に記載された映像管理装置が生成したワークグループに基づき、複数の映像素材を、番組構成表に従って配列した映像素材シーケンスを生成する番組編集装置であって、
前記番組構成表は、番組の構成要素であるシーンまたはカットを示す番組要素情報を、再生順序に従って、並べることで生成され、
各番組要素情報は、番組構造識別を含み、
番組要素情報と同一の番組構造識別が割り当てられたワークグループを、番組構成表における番組要素情報に対応付けることにより、ワークグループを、番組の構成順に従って配列した、ワークグループシーケンスを生成する第1生成手段と、
ワークグループに属する映像素材のうち、何れか1つを、番組構成表における番組要素情報に対応付けることにより、映像素材シーケンスを生成する第2生成手段と
を備えることを特徴とする番組編集装置。
【請求項５】
番組構成表は、番組の構成要素であるカット又はシーンの撮影に用いるべき、撮影パラメータを含んでおり、
映像素材は、撮影に用いられた撮影パラメータを示す属性を有しており、
第2生成手段により番組要素情報に対応付けられる映像素材は、
番組要素情報における撮影パラメータと、同一の撮影パラメータを属性としてもつ映像素材である
ことを特徴とする請求項4記載の番組編集装置。
【請求項６】
前記撮影パラメータは、撮影した映像に対する被写体の大きさであるショットサイズを少なくとも含むことを特徴とする請求項5記載の番組編集装置。
【請求項７】
前記撮影パラメータは、撮影した際の撮像装置の向きであるカメラアングルを少なくとも含むことを特徴とする請求項5記載の番組編集装置。
【請求項８】
前記撮影パラメータは、撮影した際の撮像装置に対する操作であるカメラ操作を少なくとも含むことを特徴とする請求項5記載の番組編集装置。
【請求項９】
前記第2生成手段は、
ワークグループに属する映像素材のうち、撮影日時が最も早いものを選ぶ選択手段を備え、
番組構成表における番組要素情報に対応付けられるのは、選択された映像素材である
ことを特徴とする請求項4から請求項8記載の番組編集装置。
【請求項１０】
前記第2生成手段は、
ワークグループに属する映像素材のうち、何れを対応付けるかの選択操作をユーザから受け付ける受付手段を備え、
番組構成表における番組要素情報に対応付けられるのは、選択操作にて選択された映像素材である
ことを特徴とする請求項4から請求項8記載の番組編集装置。
【請求項１１】
撮影計画表に基づく撮影作業によって得られた複数の映像素材を管理する処理をコンピュータに実行させる映像管理プログラムであって、
映像素材がもつ属性のうちの、撮影場所を示す属性及び撮影日時を示す属性に基づき、一連の撮影作業によって撮影された映像素材の組ごとに、複数の映像素材を複数のワークグループに分類する分類ステップと、
分類手段により生成された複数のワークグループのうち、撮影場所を示す属性が撮影計画表に示される複数の撮影場所と同一になるものを、撮影計画表に示されるそれぞれの場所に対応付けて、撮影計画表において前記複数の撮影場所ごとに記述されていた情報を、各ワークグループに割り当てる割当ステップと
をコンピュータに実行させることを特徴とする映像管理プログラム。
【請求項１２】
前記分類ステップによる分類は、
複数の映像素材の撮影日時を示す属性から撮影日時間の時間間隔を算出し、その時間間隔が一定値以下となる映像素材であって、撮影場所を示す属性が同じになるもの同士を、1つのグループにすることをコンピュータに実行させる
ことを特徴とする請求項11記載の映像管理プログラム。
【請求項１３】
前記撮影計画表には、複数の番組構造識別が記述されており、各番組構造識別は、撮影計画表に示されたそれぞれの撮影場所が、番組を構成する複数のシーンまたはカットのうち、どれを撮影するためのものであるかを示し、
前記割当ステップによる割当は、
ワークグループに対応する撮影場所に応じた番組構造識別を各ワークグループに対応付けることをコンピュータに実行させる
ことを特徴とする請求項12記載の映像管理プログラム。
【請求項１４】
請求項13に記載された映像管理プログラムが生成したワークグループに基づき、複数の映像素材を、番組構成表に従って配列した映像素材シーケンスをコンピュータに生成させる番組編集プログラムであって、
前記番組構成表は、番組のシーン・カットを示す番組要素情報を、再生順序に従って、並べることで生成され、
各番組要素情報は、番組構造識別を含み、
番組要素情報と同一の番組構造識別が割り当てられたワークグループを、番組構成表における番組要素情報に対応付けることにより、ワークグループを、番組の構成順に従って配列した、ワークグループシーケンスをコンピュータに生成させる第1生成ステップと、
ワークグループに属する映像素材のうち、何れか1つを、番組構成表における番組要素情報に対応付けることにより、映像素材シーケンスをコンピュータに生成させる第2生成ステップと
をコンピュータに実行させることを特徴とする番組編集プログラム。
【発明の詳細な説明】
【技術分野】
【０００１】
本発明は、映像管理装置に関し、特に番組制作技術の改良に関する。
【背景技術】
【０００２】
番組制作における映像素材の並べ替え技術は、映像素材をどのような順序で再生させるかという再生順序を決定し、かかる再生順序に従い、複数の映像素材を配列した映像素材シーケンスを得る技術である。
以下、番組制作における映像素材の並べ替え技術の概要を説明する。番組制作にあたって、先ず絵コンテを作成し、カットやシーン等の番組の構成をどのような順序で再生させるかを粗決めする。
【０００３】
こうして絵コンテが得られれば、撮影計画表を作成する。撮影計画表は、複数のロケ地と、これらのロケ地において、撮影に割り当てられる時間枠との対応を示す工程表である。
この撮影計画表に基づき、撮影クルーは、撮影計画表に記載されたロケ地において、対応する時間枠に撮影作業を行う。こうして得られた映像素材をスタジオに持ち帰り、これら映像素材となるシーンまたはカットを番組内容に沿った再生順序に並べ替える。かかる再生順序の決定は、上述したような絵コンテに基づき番組構成表を作成することでなされる。番組構成表とは、番組を構成する個々のシーン構成やカット構成の情報である。制作スタッフは、シーンまたはカットを特定する情報(番組構造識別と呼ばれる)やシーンまたはカットの内容などの番組要素情報を配列することにより、番組構成表を生成する。
【０００４】
かかる番組制作技術に関しては、以下の特許文献1,2に記載された文献公知発明が存在する。
特許文献1には、撮影時に、予め決められた番組構造識別を映像素材に付与し、番組構造識別を基に映像素材を並べ替える手法が開示されている。しかし、番組構造識別の付与はカメラマンが手動で行わなければならず、カメラマンに余計な負担をかけることになる。
【０００５】
特許文献2には、撮影した映像素材の内容を表すメタデータを付与し、メタデータを基に映像素材を並べ替える手法が開示されている。しかし、具体的にどのようなメタデータを付与すれば、重複なく映像素材を特徴付けられ、編集作業の効率を高められるかについては触れられていない。
【特許文献１】特開2000-92419号公報
【特許文献２】特開2001-143445号公報
【発明の開示】
【発明が解決しようとする課題】
【０００６】
ところで番組制作にあたって、必要となる映像素材の量は、実際の番組の時間長の10倍以上に及ぶといわれる。例えば、1時間程度の放送番組であっても、10時間もの映像素材が、その制作に用いられることになる。1つの番組を制作するにあたり、膨大な量の映像素材の内容を確認する作業は、番組制作に携わるスタッフにとって、多大な負担である。
そして、そのように映像素材の内容を精査した結果、肝心のカット、シーンが存在しないような場合、撮影を再度やり直す必要がある。かかる撮影のやり直しは、制作費の多大なロスとなる。また撮影のやり直しがあると、制作しようとする番組が放送の時期までに完成しないという状況に追い詰められることもある。このように映像素材の内容確認に多大な時間がかかり、肝心の映像素材が欠落していることの発見が遅れることは、番組制作の費用面と時間面とにおいて、大きなロスとなる。
【０００７】
映像素材の内容確認を行うには、特許文献1、2に記載された技術を応用することが考えられる。しかし上述した技術は、撮影の際、カメラマンが、その映像素材がどの番組を構成するか、また、その映像素材がどのような内容であるのかを、カメラに対して入力する必要がある。これは、より良い映像を撮影しようと被写体の動きに全神経を集中させているカメラマンに余計な負担を強いるものであり、到底、過酷な撮影現場に採用されるものではない。
【０００８】
本発明の目的は、番組制作の効率を従来よりも高め、撮影現場での簡易的な番組内容の確認を可能にすることで、肝心な映像素材の撮影をし忘れることによる、番組制作の制作ロスをなくすことができる管理装置及び編集装置を提供することである。
【課題を解決するための手段】
【０００９】
上記課題を解決するため、本発明にかかる映像管理装置は、
映像素材ごとの撮影日時及び撮影場所を少なくとも示す撮影計画表に基づく撮影作業によって得られた複数の映像素材を管理する映像管理装置であって、
映像素材がもつ属性のうちの、撮影場所を示す属性及び撮影日時を示す属性に基づき、一連の撮影作業によって撮影された映像素材の組ごとに、複数の映像素材を複数のワークグループに分類する分類手段と、
分類手段により生成された複数のワークグループのうち、撮影場所を示す属性が撮影計画表に示される複数の撮影場所と同一になるものを、撮影計画表に示されるそれぞれの場所に対応付けて、撮影計画表において前記複数の撮影場所ごとに記述されていた情報を、各ワークグループに割り当てる割当手段と
を備えることを特徴とする映像管理装置である。
【００１０】
上記課題を解決するため、本発明にかかる番組編集装置は、
前記映像管理装置が生成したワークグループに基づき、複数の映像素材を、番組構成表に従って配列した映像素材シーケンスを生成する番組編集装置であって、
前記番組構成表は、番組の構成要素であるシーンまたはカットを示す番組要素情報を、再生順序に従って、並べることで生成され、
各番組要素情報は、番組構造識別を含み、
番組要素情報と同一の番組構造識別が割り当てられたワークグループを、番組構成表における番組要素情報に対応付けることにより、ワークグループを、番組の構成順に従って配列した、ワークグループシーケンスを生成する第1生成手段と、
ワークグループに属する映像素材のうち、何れか1つを、番組構成表における番組要素情報に対応付けることにより、映像素材シーケンスを生成する第2生成手段と
を備えることを特徴とする番組編集装置である。
【発明の効果】
【００１１】
上述した構成において、ワークグループは、撮影場所が同一で撮影間隔が短い映像素材の組であり、複数の撮影計画表に掲載された撮影場所に対応付けられる。撮影計画表において撮影場所ごとに記述された情報が割り当てられるので、カット、シーン等の番組構造識別や撮影内容を表す文字列が、撮影計画表において撮影場所ごとの情報として記述されているような場合、これらカット、シーンの情報等が、自動的にワークグループに割り当てられることになる。撮影を行うカメラマンが、特許文献1、2に記載されているような特段の操作を撮影時に行わなくても、これらの情報が、自動的に、ワークグループごとに付与されるので、制作スタッフは、ワークグループに属する映像素材がどのような内容であるかを、カット、シーン等の番組構造識別や撮影内容を表す文字列を手掛かりに容易に理解することができる。
【００１２】
内容理解が大いに助けられるので、制作に用いられるべき映像素材の収集に抜けがないかの確認が容易になり、これから制作されるべき番組がどのようなものになるかを具体的に想像することができるので、番組制作に用いられるべき映像素材の撮影し忘れに早期に気付くことができる。
更に、ワークグループへの分類は、撮影の場所を示す属性、撮影の日時を示す属性等、カメラに内蔵されたGPSや時計等から撮影時に自動的に生成される属性に基づきなされるので、この分類にあたっても、特段の操作を必要としない。これにより、膨大な量の映像素材の整理を、大きく効率化することができる。
【００１３】
また、撮影計画表を元に、映像素材の内容確認を実行することができるので、本映像管理装置を、撮影器材の一部として、撮影現場に持参すれば、番組作成に必要な映像素材の抜けがないかを、撮影現場において、簡単に確認することができる。そして肝心な映像素材の撮り忘れがあれば、その場で撮影し直すことができる。撮影内容の確認を効率化し、撮影のし忘れを解消するので、番組制作を飛躍的に効率化することができる。
【００１４】
ここで、映像素材をワークグループに分類する分類手段による分類は、複数の映像素材の撮影日時を示す属性から撮影日時間の時間間隔を算出し、その時間間隔が一定値以下となる映像素材であって、撮影場所を示す属性が同じになるもの同士を、1つのグループにすることでなされる映像管理装置とすることができる。
映像素材間の撮影間隔が短く、尚且つ、同一場所で撮影された映像素材同士を1つのグループに分類するので、実際の撮影が、撮影計画表通り進んでおらず、撮影計画表に示される日時と、映像素材の属性となる日時とに違いが生じたとしても、撮影計画表に忠実に、ワークグループを、対応付けてゆくことができる。
【００１５】
ここで、撮影計画表には、複数の番組構造識別が記述されており、各番組構造識別は、撮影計画表に示されたそれぞれの撮影場所が、番組を構成する複数の構成要素のうち、どれを撮影するためのものであるかを示し、番組構造識別をワークグループに割り当てる割当手段による割当は、ワークグループに対応する撮影場所に応じた番組構造識別を各ワークグループに対応付けることでなされる映像管理装置とすることができる。
【００１６】
撮影計画表に番組構造識別が記述されていれば、自動的に、この番組構造識別がワークグループに割り当てられるので、撮影時に番組構造識別を入力させるという作業をカメラマンに実行させなくても、映像素材からなるワークグループに、番組構造識別を割り当てることができる。このようにカメラマンの手間をわずらわせることなく、番組構造識別に基づき、映像素材を整理することができる。
【００１７】
上述したような番組編集装置によれば、ワークグループに割り当てられた番組構造識別と、番組構成表における番組構造識別との同一性に基づいて対応付けを行い、ワークグループを番組の構成順に配列したリストであるワークグループシーケンスを生成するので、番組編集装置により、自動的に、ワークグループシーケンスが生成されることになる。
こうして生成されたワークグループシーケンスのうち、各ワークグループから、番組構成に応じた映像素材を選ぶことにより、映像素材シーケンスを作成することができるので、映像素材シーケンスを作成する作業は大幅に簡略化されることになる。
【００１８】
ここで、番組構成表は、番組の構成要素であるカット又はシーンの撮影に用いるべき、撮影パラメータを含んでおり、映像素材は、撮影に用いられた撮影パラメータを示す属性を有しており、映像素材シーケンスを生成する第2生成手段により番組要素情報に対応付けられる映像素材は、番組要素情報における撮影パラメータと、同一の撮影パラメータを属性としてもつ映像素材である番組編集装置とすることができる。
【００１９】
番組要素情報への対応付けは、撮影パラメータの同一性に基づきなされるので、切り返しシーンを構成するような複数の映像素材が、複数のワークグループに含まれていたとしても、それら切り返しシーンを構成するような映像素材を並べ替えた上で、映像素材シーケンスを構成することができる。切り返しシーンを実現するための並べ替えが自動的になされるので、映像素材シーケンスの作成効率を高めることができる。
【００２０】
ここで切り返しシーンとは、会話シーンにおいて会話する人物を交互に映すシーンなど、同一のシーンを異なるカメラアングルで撮影した映像素材を交互に並べたシーンである。一般に、切り返しシーンの撮影は、あるカメラアングルでシーン全体を撮影し終えた後、別のカメラアングルでシーン全体を撮影し直し、それぞれの撮影で得られた映像素材から必要な部分を抜き出し交互に並べるという方法で行われるため、上記のような特別な扱いが必要となる。
【００２１】
ここで、映像素材シーケンスを生成する第2生成手段は、ワークグループに属する映像素材のうち、撮影日時が最も早いものを選ぶ選択手段を備え、番組構成表における番組要素情報に対応付けられるのは、選択された映像素材である番組編集装置とすることができる。
ワークグループに属する映像素材のうち、日時が最も早いものを、番組構成表の番組要素情報に対応付けられるので、NGテイクにあたるワークグループが存在して、日時が新しい映像素材と、日時が古い映像素材とが1つのワークグループに存在する場合、日時が新しい映像素材が選ばれることになる。日時が新しい映像素材を選ぶことにより、NGテイクの存在に拘らず、OKテイクの映像素材を用いて、映像素材シーケンスを構成することができる。
【００２２】
ここで、映像素材シーケンスを生成する第2生成手段は、ワークグループに属する映像素材のうち、何れを対応付けるかの選択操作をユーザから受け付ける受付手段を備え、番組構成表における番組要素情報に対応付けられるのは、選択操作にて選択された映像素材である番組編集装置とすることができる。
対話的な処理によって、最もふさわしいものを、ワークグループから選ぶことにより、映像素材シーケンスを作成することができる。この構成では、肉眼による映像素材の内容確認を伴うが、この内容確認は、ワークグループに属する映像素材を選ぶという作業だけで済むので、内容確認に伴う作業は大幅に簡略化されることになる。
【発明を実施するための最良の形態】
【００２３】
＜第1実施形態＞
《映像管理装置》
本発明の第1実施形態の映像管理装置の概略構成を示す機能ブロック図を図1に示す。本発明の第1実施形態の映像管理装置は、映像素材属性取得部101と、ワークグループ分類部102、撮影計画表取得部103、ワークグループ割当部104、ハードディスクなどの記憶部、記憶内容確認のための表示部を備えている。
〈映像素材属性取得部101〉
映像素材属性取得部101は、カメラにて映像素材を撮影した際、映像素材の素材IDおよび撮影場所、撮影日時を少なくとも含む映像素材属性をカメラから取得するものである。映像素材属性取得部101は、撮影時にカメラが読み込んだ映像素材属性を入力するための入力部と、取得した映像素材属性を保存するためのハードディスク等と、映像素材属性を出力するための出力部とを備える。映像素材属性取得部101が取得した映像素材属性は、ワークグループ分類部102へ登録される。
【００２４】
カメラによって11個の映像素材が撮影された場合、映像素材属性取得部101が取得する映像素材属性の例を図2から図12に示す。
図2に図示した例では、映像素材属性200は、「M-001」という素材IDを有する映像素材が、「2006/01/23」という撮影日に、「10:10」という撮影時刻から、「N34.44,E135.34」という撮影場所で、「フルショット」というショットサイズ、「南東」というカメラアングル、「ズームIN」というカメラ操作の下で撮影された映像であることを示している。
【００２５】
図3に図示した例では、映像素材属性300は、「M-002」という素材IDを有する映像素材が、「2006/01/23」という撮影日に、「10:20」という撮影時刻から、「N34.44,E135.34」という撮影場所で、「バストショット」というショットサイズ、「南西」というカメラアングル、「ズームOUT」というカメラ操作の下で撮影された映像であることを示している。
【００２６】
図4に図示した例では、映像素材属性400は、「M-003」という素材IDを有する映像素材が、「2006/01/23」という撮影日に、「10:25」という撮影時刻から、「N34.44,E135.34」という撮影場所で、「バストショット」というショットサイズ、「南西」というカメラアングル、「ズームOUT」というカメラ操作の下で撮影された映像であることを示している。
【００２７】
図5に図示した例では、映像素材属性500は、「M-004」という素材IDを有する映像素材が、「2006/01/23」という撮影日に、「10:40」という撮影時刻から、「N34.44,E135.35」という撮影場所で、「フルショット」というショットサイズ、「北」というカメラアングル、「右パン」というカメラ操作の下で撮影された映像であることを示している。
図6に図示した例では、映像素材属性600は、「M-005」という素材IDを有する映像素材が、「2006/01/23」という撮影日に、「10:50」という撮影時刻から、「N34.44,E135.35」という撮影場所で、「フルショット」というショットサイズ、「東」というカメラアングル、「フォロー」というカメラ操作の下で撮影された映像であることを示している。
【００２８】
図7に図示した例では、映像素材属性700は、「M-006」という素材IDを有する映像素材が、「2006/01/23」という撮影日に、「11:20」という撮影時刻から、「N34.43,E135.35」という撮影場所で、「フルショット」というショットサイズ、「南東」というカメラアングル、「ズームIN」というカメラ操作の下で撮影された映像であることを示している。
図8に図示した例では、映像素材属性800は、「M-007」という素材IDを有する映像素材が、「2006/01/23」という撮影日に、「15:00」という撮影時刻から、「N34.41,E135.29」という撮影場所で、「ロングショット」というショットサイズ、「南」というカメラアングル、「ズームIN」というカメラ操作の下で撮影された映像であることを示している。
【００２９】
図9に図示した例では、映像素材属性900は、「M-008」という素材IDを有する映像素材が、「2006/01/23」という撮影日に、「15:30」という撮影時刻から、「N34.41,E135.29」という撮影場所で、「フルショット」というショットサイズ、「西」というカメラアングル、「左パン」というカメラ操作の下で撮影された映像であることを示している。
図10に図示した例では、映像素材属性1000は、「M-009」という素材IDを有する映像素材が、「2006/01/23」という撮影日に、「16:00」という撮影時刻から、「N34.41,E135.29」という撮影場所で、「フルショット」というショットサイズ、「東」というカメラアングル、「ズームIN」というカメラ操作の下で撮影された映像であることを示している。
【００３０】
図11に図示した例では、映像素材属性1100は、「M-010」という素材IDを有する映像素材が、「2006/01/23」という撮影日に、「16:20」という撮影時刻から、「N34.41,E135.30」という撮影場所で、「バストショット」というショットサイズ、「北東」というカメラアングル、「固定」というカメラ操作の下で撮影された映像であることを示している。
図12に図示した例では、映像素材属性1200は、「M-011」という素材IDを有する映像素材が、「2006/01/23」という撮影日に、「16:25」という撮影時刻から、「N34.41,E135.30」という撮影場所で、「バストショット」というショットサイズ、「北西」というカメラアングル、「固定」というカメラ操作の下で撮影された映像であることを示している。
【００３１】
これらの映像素材属性のうち、素材IDは連番など一意性が保証された識別子が付与され、日付と時刻はカメラに内蔵された時計より読み込まれたものが採用され、撮影場所はカメラに内蔵されたGPSより読み込まれたものが採用される。また、撮影した映像に対する被写体の大きさであるショットサイズ、撮影した際のカメラの向きであるカメラアングル、撮影した際のカメラに対する操作であるカメラ操作などの撮影パラメータも撮影時のカメラの設定値から読み込まれる。すなわち、映像素材属性はすべてカメラにより自動的に映像素材に付与され、カメラマンに従来の作業以上に負担を強いる必要はない。
〈ワークグループ分類部102〉
ワークグループ分類部102は、映像素材属性取得部101から登録された映像素材属性に基づいて、映像素材を複数のワークグループに分類するものである。ワークグループ分類部102は、映像素材属性を入力するための入力部と、分類処理を行うためのプロセッサ等と、分類されたワークグループを出力するための出力部とを備える。
【００３２】
ワークグループ分類部102は、映像素材属性に記載の撮影日および撮影時刻から連続して撮影された映像素材間の撮影時間間隔を算出し、例えば、算出した撮影時間間隔が10分以下であり、かつ、映像素材属性に記載の撮影場所が同一である映像素材で構成されるワークグループを特定し、各ワークグループに該当する映像素材の映像素材属性に記載の撮影日、撮影場所、撮影時刻、素材IDを結合することでワークグループテーブルを生成する。
【００３３】
ワークグループ分類部102が生成するワークグループテーブルの一例を図13に示す。
図13に図示した例では、ワークグループテーブル1300は、それぞれ「G-001」、「G-002」、「G-003」、「G-004」、「G-005」、「G-006」、「G-007」というワークグループIDを有する7個以上のワークグループで構成され、例えば、「G-001」というワークグループIDを有するワークグループは、「2006/01/23」という撮影日に、「N34.44,E135.34」という撮影場所で撮影された3個の映像素材で構成され、それぞれの映像素材は、「10:10」という撮影時刻から撮影された「M-001」という素材IDを有する映像素材と、「10:20」という撮影時刻から撮影された「M-002」という素材IDを有する映像素材と、「10:25」という撮影時刻から撮影された「M-003」という素材IDを有する映像素材であることを示している。
【００３４】
ワークグループ分類部102は、生成したワークグループテーブル1300をワークグループ割当部104へ登録する。
このように、映像素材をある一定のワークグループにまとめることにより、後で撮影計画表と対応付けする際に、多少の時間的ずれがある場合でも柔軟に対応付けが可能となる。
〈撮影計画表取得部103〉
撮影計画表取得部103は、映像素材の番組構成識別および撮影場所、撮影日時を少なくとも示す撮影計画表を取得するものである。撮影計画表は撮影のスケジュールを示す時間割表であり、撮影現場では従来から用いられているものである。そのデータを利用して対応付けや並べ替えの処理を行うために、例えば表計算ソフトなどを使って、データをコンピュータに入力し、映像素材にメタ情報として付与することで、後で番組編集のために利用できる。既にあるデータを使うので、本発明のために新たにデータを用意する必要がなく、撮影作業の効率化を望める。撮影計画表取得部103は、撮影計画表を入力するためのキーボードなどの入力装置と、入力した情報を保存するためのメモリ等と、入力した情報を表示するためのディスプレイ等と、入力した撮影計画表を出力するための出力部とを備える。取得された撮影計画表は、ワークグループ割当部104へ登録される。
【００３５】
撮影計画表取得部103が取得する撮影計画表の例を図14に示す。この撮影計画表1400は、撮影日、撮影時刻、撮影場所の他に、制作する放送番組の番組構造識別であるシーンIDおよびカットIDなどの項目で構成されている。
図14に図示した例では、撮影計画表1400は、「2006/01/23」という撮影日に、それぞれ「10:00」、「10:30」、「11:00」、「15:00」、「15:30」、「16:30」という撮影時刻から6回以上に分けて撮影作業が行われ、例えば、「10:00」という撮影時刻から行われる撮影作業では、「スタジオ1」という撮影場所で、「S-001」というシーンIDを有するシーンに該当する「C-001」および「C-002」というカットIDを有するカットが撮影されることを示している。
【００３６】
本発明の第1実施形態では、撮影計画表取得部103は、例えば、図14の撮影計画表1400を取得したものとする。このとき、撮影計画表取得部103は、取得した撮影計画表1400をワークグループ割当部104へ登録する。
〈ワークグループ割当部104〉
ワークグループ割当部104は、ワークグループ分類部102から登録されたワークグループテーブルと撮影計画表取得部103から登録された撮影計画表とに基づいて、映像素材における撮影日時の時間間隔が一定値以下となる映像素材であって、撮影場所が同じになるものを、1つのグループにしたワークグループリストを生成する。生成されたワークグループリストは、記憶部に保存される。ワークグループ割当部104は、ワークグループ分類部102からワークグループテーブルを入力するため入力部と、撮影計画表取得部103から撮影計画表を入力するための入力部と、割当処理行うためのプロセッサ等と、生成したワークグループリストを出力するための出力部とを備えている。
【００３７】
ワークグループ割当部104が生成するワークグループリストの一例を図15に示す。このワークグループリスト1500は、撮影日、撮影場所、シーンID、カットID、ワークグループID、素材ID、撮影時刻などの項目で構成されている。
図15に図示した例では、ワークグループリスト1500は、「2006/01/23」という撮影日に、それぞれ「スタジオ1」、「スタジオ2」、「スタジオ3」、「駅(ホーム)」、「駅(電車の中)」、「駅(電車の中)」という撮影場所で撮影された6個以上のワークグループで構成され、例えば、「スタジオ1」という撮影場所で撮影されたワークグループは、「S-001」というシーンIDを有するシーンに該当する「C-001」および「C-002」というカットIDを有するカットを撮影したものであり、「G-001」というワークグループIDを有するワークグループに該当する3個の映像素材で構成され、それぞれの映像素材は、「M-001」という素材IDを有する「10:10」という撮影時刻から撮影された映像素材と、「M-002」という素材IDを有する「10:20」という撮影時刻から撮影された映像素材と、「M-003」という素材IDを有する「10:25」という撮影時刻から撮影された映像素材とであることを示している。
【００３８】
本発明の第1実施形態では、ある時に、ワークグループ分類部102から、例えば、図13のワークグループテーブル1300が登録され、また、撮影計画表取得部103から、例えば、図14の撮影計画表1400が登録されたものとする。このとき、ワークグループ割当部104は、ワークグループテーブル1300に記載の撮影日時および撮影場所と、撮影計画表1400に記載の撮影日時および撮影場所とに基づいて、撮影日時順に、ワークグループテーブル1300に記載のワークグループを撮影計画表1400へ対応付けることを試み、撮影場所が同一である場合に対応付けることで、結果的に図2から図12の11個の映像素材属性を撮影計画表1400へ対応付け、例えば、図15のワークグループリスト1500を生成する。すなわち、ワークグループ割当部104は、ワークグループテーブル1300に記載の撮影日時および撮影場所と、撮影計画表1400に記載の撮影日時および撮影場所とに基づいて、撮影日時順に、ワークグループテーブル1300に記載のワークグループを撮影計画表1400へ対応付けることを試み、例えば、ワークグループテーブル1300に記載の「G-001」というワークグループIDを有するワークグループと、撮影計画表1400に記載の「S-001」というシーンIDを有するシーンに該当する「C-001」および「C-002」というカットIDを有するカットとは、撮影場所が同一であることから、結果的に「G-001」というワークグループIDを有するワークグループに該当する、それぞれ「M-001」、「M-002」、「M-003」という素材IDを有する3個の映像素材属性を「S-001」というシーンIDを有するシーンに該当する「C-001」および「C-002」というカットIDを有するカットへ対応付け、図15のワークグループリスト1500を生成する。
【００３９】
ワークグループ割当部104は、生成したワークグループリスト1500をハードディスク等に保存する。保存されたワークグループリストと映像素材とは表示部で表示することができ、撮影現場において番組内容の大雑把な確認ができる。
《番組編集装置》
本発明の第1実施形態の番組編集装置の概略構成を示す機能ブロック図を図16に示す。本発明の第1実施形態の番組編集装置は、映像管理装置、番組構成表取得部105、ワークグループシーケンス生成部106、映像素材シーケンス情報生成部107を備えている。
〈番組構成表取得部105〉
番組構成表取得部105は、映像素材を用いて制作する放送番組の番組構成順序と番組の構成要素であるーンまたはカットがもつ番組構造識別を少なくとも示す番組構成表を取得するものである。番組構成表取得部105は番組構成表を入力するためのキーボードなどの入力装置と、入力した情報を保存するためのメモリ等と、入力した情報を表示するためのディスプレイと、入力した番組構成表を出力するための出力部とを備える。取得された番組構成表は、ワークグループシーケンス生成部106へ登録される。
【００４０】
番組構成表取得部105が取得する、番組構成表の例を図17に示す。この番組構成表1700は、シーンID、カットIDの他に、各シーンの場面内容であるシーン内容、各カットの場面内容であるカット内容、並びに、撮影時の撮影パラメータであるショットサイズ、カメラアングル、カメラ操作などの項目で構成され、それらが番組構成順に記載されている。
図17に図示した例では、番組構成表1700は、それぞれ「S-001」、「S-002」、「S-003」というシーンIDを有する3個以上のシーンで構成され、例えば、「S-001」というシーンIDを有するシーンは、「これから退社」というシーン内容であり、それぞれ「C-001」、「C-002」、「C-003」というカットIDを有する3個のカットで構成され、さらに、例えば、「C-001」というカットIDを有するカットは、「フルショット」というショットサイズ、「南東」というカメラアングル、「ズームIN」というカメラ操作の下で撮影されることを示している。
【００４１】
本発明の第1実施形態では、番組構成表取得部105は、例えば、図17の番組構成表1700を取得したものとする。このとき、番組構成表取得部105は、取得した番組構成表1700をワークグループシーケンス生成部106へ登録する。
このような番組構成表の作成は、従来から番組制作現場において行われていることであり、そのデータを、例えば表計算ソフトなどを使って、コンピュータに入力し、対応付けのために利用することは容易である。したがって、編集者に新たな負担を強いることなく編集作業の効率化をはかることが可能である。
〈ワークグループシーケンス生成部106〉
ワークグループシーケンス生成部106は、映像管理装置に保存されたワークグループリストと番組構成表取得部105から登録された番組構成表とに基づいて、構成要素情報と同一の番組構造識別が割り当てられたワークグループを、番組構成表における番組要素情報に対応付けることにより、ワークグループを番組の構成順に従って配列したワークグループシーケンスを生成するものである。ワークグループシーケンス生成部106は、映像管理装置に保存されたワークグループリストを入力するための入力部と、番組構成表取得部105によって取得された番組構成表を入力するための入力部と、ワークグループと番組構成表との対応付けを行うためのプロセッサ等と、ワークグループシーケンスを出力するための出力部とを備える。生成されたワークグループシーケンスは、映像素材シーケンス情報生成部107へ登録される。
【００４２】
ワークグループシーケンス生成部106が生成する、ワークグループシーケンスの一例を図18に示す。このワークグループシーケンス1800は、シーンID、ワークグループID、素材ID、カットID、ショットサイズ、カメラアングル、カメラ操作などの項目で構成されている。
図18に図示した例では、ワークグループシーケンス1800は、それぞれ「S-001」、「S-002」、「S-003」というシーンIDをもつ3個以上のシーンで構成され、例えば、「S-001」というシーンIDをもつシーンは、それぞれ「G-001」、「G-002」というワークグループIDを有する2個のワークグループで構成され、さらに、例えば、「G-001」というワークグループIDを有するワークグループに該当する映像素材は、それぞれ「M-001」、「M-002」、「M-003」という素材IDを有するものであり、さらに、例えば、「C-001」というカットIDを有するカットは、「フルショット」というショットサイズ、「南東」というカメラアングル、「ズームIN」というカメラ操作の下で撮影されたものであることを示している。
【００４３】
本発明の第1実施形態では、ある時に、映像管理装置から、例えば、図15のワークグループリスト1500が登録され、また、番組構成表取得部105から、例えば、図17の番組構成表1700が登録されたものとする。このとき、ワークグループシーケンス生成部106は、ワークグループリスト1500に記載の番組構造識別と番組構成表1700に記載の番組構造識別とに基づいて、ワークグループリスト1500に記載のワークグループを番組構成表1700へ対応付けることを試み、番組構造識別が同一である場合に対応付けることで、例えば、図18のワークグループシーケンス1800を生成する。すなわち、ワークグループシーケンス生成部106は、ワークグループリスト1500に記載の番組構造識別と番組構成表1700に記載の番組構造識別とに基づいて、番組構造識別が同一である場合に、ワークグループリスト1500に記載のワークグループを番組構成表1700へ対応付けることを試み、例えば、ワークグループリスト1500に記載の「G-001」というワークグループIDを有するワークグループと、番組構成表1700に記載の「S-001」というシーンIDを有するシーンに該当する「C-001」および「C-002」というカットIDを有するカットとは、番組構造識別が同一であることから、「G-001」というワークグループIDを有するワークグループを「S-001」というシーンIDを有するシーンに該当する「C-001」および「C-002」というカットIDを有するカットへ対応付け、図18のワークグループシーケンス1800を生成する。このとき、ワークグループシーケンス生成部106は、生成したワークグループシーケンス1800を映像素材シーケンス情報生成部107へ登録する。
〈映像素材シーケンス情報生成部107〉
映像素材シーケンス情報生成部107は、映像素材属性取得部101から登録された映像素材属性とワークグループシーケンス生成部106から登録されたワークグループシーケンスとに基づいて、映像素材属性に記載の素材IDを番組構成表に記載のシーンやカット単位で番組構成順に並べた配列を少なくとも示す映像素材シーケンス情報を生成する。映像素材シーケンス情報生成部107は、映像素材属性を入力するための入力部と、ワークグループシーケンスを入力するための入力部と、映像素材属性と番組構成表との対応付けを行うためのプロセッサ等と、映像素材シーケンスを出力するための出力部とを備えている。
【００４４】
映像素材シーケンス情報生成部107が生成する、映像素材シーケンス情報の一例を図19に示す。この映像素材シーケンス情報1900は、シーンID、カットID、素材IDなどの項目で構成されている。
図19に図示した例では、映像素材シーケンス情報1900は、それぞれ「S-001」、「S-002」、「S-003」というシーンIDをもつ3個以上のシーンで構成され、例えば、「S-001」というシーンIDをもつシーンは、「C-001」、「C-002」、「C-003」というカットIDをもつカットに加えて、もう一つの新規カットで構成されるものであり、例えば、「C-001」というカットIDを有するカットに該当する映像素材は、「M-001」という素材IDを有するものであることを示している。
【００４５】
本発明の第1実施形態では、ある時に、映像素材属性取得部101から、例えば、図2から図12の11個の映像素材属性が登録され、また、ワークグループシーケンス生成部106から、例えば、図18のワークグループシーケンス1800が登録されたものとする。このとき、映像素材シーケンス情報生成部107は、11個の映像素材属性に記載の素材IDとワークグループシーケンス1800に記載の素材IDとに基づいて、ワークグループシーケンス1800に記載のワークグループ単位で11個の映像素材属性をワークグループシーケンス1800へ対応付けることを試み、素材IDが同一である場合に対応付け、さらに、ワークグループシーケンス1800に記載のワークグループごとに、11個の映像素材属性に記載の撮影パラメータとワークグループシーケンス1800に記載の撮影パラメータとに基づいて、撮影日時順に、11個の映像素材属性をワークグループシーケンス1800へ対応付けることを試み、撮影パラメータが同一である場合に対応付けることで、例えば、図19の映像素材シーケンス情報1900を生成する。すなわち、映像素材シーケンス情報生成部107は、11個の映像素材属性に記載の素材IDとワークグループシーケンス1800に記載の素材IDとに基づいて、ワークグループシーケンス1800に記載のワークグループ単位で11個の映像素材属性をワークグループシーケンス1800へ対応付けることを試み、例えば、それぞれ「M-001」、「M-002」、「M-003」という素材IDを有する3個の映像素材属性をワークグループシーケンス1800に記載の「G-001」というワークグループIDを有するワークグループへ対応付け、さらに、これら3個の映像素材属性を撮影日時順にワークグループシーケンス1800へ対応付けることを試み、例えば、映像素材属性200と、ワークグループシーケンス1800に記載の「C-001」というカットIDを有するカットとは、撮影パラメータが同一であることから、「M-001」という素材IDを有する映像素材属性200を「C-001」というカットIDを有するカットへ対応付け、図19の映像素材シーケンス情報1900を生成する。
【００４６】
生成された映像素材シーケンス情報1900は、例えば、放送設備に登録され、番組が配信される。
《映像管理装置の動作例》
この第1実施形態において、映像管理装置がワークグループリストを生成する場合の動作を示すフローチャートを図20に示す。
【００４７】
ステップS2001では、映像素材属性取得部101は、映像素材属性を取得し、取得した映像素材属性をワークグループ分類部102へ登録する。
例えば、映像素材属性取得部101は、図2から図12の11個の映像素材属性を取得し、取得した映像素材属性をワークグループ分類部102へ登録する。
ステップS2002では、ワークグループ分類部102は、ステップS2001で登録された映像素材属性に記載の撮影日時と撮影場所とに基づいて、連続して撮影された映像素材間の撮影時間間隔を算出し、撮影時間間隔が一定値以下かつ撮影場所が同一である映像素材で構成されるワークグループを特定し、各ワークグループに該当する映像素材属性を結合することでワークグループに分類し、生成したワークグループテーブルをワークグループ割当部104へ登録する。
【００４８】
例えば、ワークグループ分類部102は、図2から図12の11個の映像素材属性に基づいて、連続して撮影された映像素材間の撮影時間間隔を算出し、例えば、算出した撮影時間間隔が10分以下であり、かつ、これら11個の映像素材属性に記載の撮影場所が同一である映像素材で構成される7個のワークグループを特定し、各ワークグループに該当する映像素材属性に記載の撮影日、撮影場所、撮影時刻、素材IDを結合することで図13のワークグループテーブル1300を生成し、生成したワークグループテーブル1300をワークグループ割当部104へ登録する。
【００４９】
ステップS2003では、撮影計画表取得部103は、撮影計画表を取得し、取得した撮影計画表をワークグループ割当部104へ登録する。
例えば、撮影計画表取得部103は、図14の撮影計画表1400を取得し、取得した撮影計画表1400をワークグループ割当部104へ登録する。
ステップS2004では、ワークグループ割当部104は、ステップS2002で登録されたワークグループテーブルに記載の撮影日時および撮影場所と、ステップS2003で登録された撮影計画表に記載の撮影日時および撮影場所とに基づいて、撮影日時順に、ワークグループテーブルに記載のワークグループを撮影計画表へ対応付けることを試み、撮影場所が同一である場合に対応付けることでワークグループリストを生成し、生成したワークグループリストをハードディスク等に保存する。
【００５０】
例えば、ワークグループ割当部104は、図13のワークグループテーブル1300に記載の撮影日時および撮影場所と、図14の撮影計画表1400に記載の撮影日時および撮影場所とに基づいて、撮影日時順に、ワークグループテーブル1300に記載のワークグループを撮影計画表1400へ対応付けることを試み、例えば、ワークグループテーブル1300に記載の「G-001」というワークグループIDを有するワークグループと、撮影計画表1400に記載の「S-001」というシーンIDを有するシーンに該当する「C-001」および「C-002」というカットIDを有するカットとは、撮影場所が同一であることから、結果的に「G-001」というワークグループIDを有するワークグループに該当する、それぞれ「M-001」、「M-002」、「M-003」という素材IDを有する3個の映像素材属性を「S-001」というシーンIDを有するシーンに該当する「C-001」および「C-002」というカットIDを有するカットへ対応付け、図15のワークグループリスト1500を生成し、生成したワークグループリスト1500をハードディスクに保存する。
《番組編集装置の動作例》
この第1実施形態において、番組編集装置がワークグループリストを生成する場合の動作を示すフローチャートを図21に示す。
【００５１】
ステップS2101では、ワークグループシーケンス生成部106は、映像管理装置からワークグループリストを取得する。
例えば、ワークグループシーケンス生成部106は、映像管理装置が保存している図15のワークグループリスト1500を取得する。
ステップS2102では、番組構成表取得部105は、番組構成表を取得し、取得した番組構成表をワークグループシーケンス生成部106へ登録する。
【００５２】
例えば、番組構成表取得部105は、図17の番組構成表1700を取得し、取得した番組構成表1700をワークグループシーケンス生成部106へ登録する。
ステップS2103では、ワークグループシーケンス生成部106は、ステップS2101で取得されたワークグループリストに記載の番組構造識別と、ステップS2102で登録された番組構成表に記載の番組構造識別とに基づいて、ワークグループリストに記載のワークグループを番組構成表へ対応付けることを試み、番組構造識別が同一である場合に対応付けることで、ワークグループシーケンスを生成し、生成したワークグループシーケンスを映像素材シーケンス情報生成部107へ登録する。
【００５３】
例えば、ワークグループシーケンス生成部106は、図15のワークグループリスト1500に記載の番組構造識別と、図17の番組構成表1700に記載の番組構造識別とに基づいて、番組構造識別が同一である場合に、ワークグループリスト1500に記載のワークグループを番組構成表1700へ対応付けることを試み、例えば、ワークグループリスト1500に記載の「G-001」というワークグループIDを有するワークグループと、番組構成表1700に記載の「S-001」というシーンIDを有するシーンに該当する「C-001」および「C-002」というカットIDを有するカットとは、番組構造識別が同一であることから、「G-001」というワークグループIDを有するワークグループを「S-001」というシーンIDを有するシーンに該当する「C-001」および「C-002」というカットIDを有するカットへ対応付け、図18のワークグループシーケンス1800を生成し、生成したワークグループシーケンス1800を映像素材シーケンス情報生成部107へ登録する。
【００５４】
ステップS2104では、映像素材シーケンス情報生成部107は、映像管理装置から映像素材属性を取得する。
例えば、映像素材シーケンス情報生成部107は、映像管理装置が保存している図2から図12の11個の映像素材属性を取得する。
ステップS2105では、映像素材シーケンス情報生成部107は、ステップS2104で取得された映像素材属性に記載の素材IDと、ステップS2103で生成されたワークグループシーケンスに記載の素材IDとに基づいて、ワークグループシーケンスに記載のワークグループ単位で、映像素材属性をワークグループシーケンスへ対応付けることを試み、素材IDが同一である場合に対応付け、さらに、ワークグループシーケンスに記載のワークグループごとに、映像素材属性に記載の撮影パラメータとワークグループシーケンスに記載の撮影パラメータとに基づいて、撮影日時順に、映像素材属性をワークグループシーケンスへ対応付けることを試み、撮影パラメータが同一である場合に対応付けることで映像素材シーケンス情報を生成する。
【００５５】
例えば、映像素材シーケンス情報生成部107は、図2から図12の11個の映像素材属性に記載の素材IDと、図18のワークグループシーケンス1800に記載の素材IDとに基づいて、ワークグループシーケンス1800に記載のワークグループ単位で11個の映像素材属性をワークグループシーケンス1800へ対応付けることを試み、例えば、それぞれ「M-001」、「M-002」、「M-003」という素材IDを有する3個の映像素材属性をワークグループシーケンス1800に記載の「G-001」というワークグループIDを有するワークグループへ対応付け、さらに、これら3個の映像素材属性を撮影日時順にワークグループシーケンス1800へ対応付けることを試み、例えば、映像素材属性200と、ワークグループシーケンス1800に記載の「C-001」というカットIDを有するカットとは、撮影パラメータが同一であることから、「M-001」という素材IDを有する映像素材属性200を「C-001」というカットIDを有するカットへ対応付け、図19の映像素材シーケンス情報1900を生成する。
【００５６】
図19の映像素材シーケンス情報1900に従って映像素材を並び替えることにより番組が編集され、放送設備から配信することができる。
《ワークグループ分類部102の動作例》
この第1実施形態において、ワークグループ分類部102がワークグループを特定する場合の動作を示すフローチャートを図22に示す。ここでは、図20のステップS2001で、映像素材属性取得部101から図2から図12の11個の映像素材属性が登録されたものとする。
【００５７】
ステップS2201では、ワークグループ分類部102は、映像素材属性取得部101から登録された映像素材属性を、各映像素材の撮影日時順にソートする。
例えば、ワークグループ分類部102は、図2から図12の11個の映像素材属性を各映像素材の撮影日時順にソートする。
ステップS2202では、ワークグループ分類部102は、ステップS2201で撮影日時順にソートした全ての映像素材属性が検査済みであるかを確認し、全ての映像素材属性が検査済みである場合にはステップS2213へ移行し、検査未済の映像素材属性が存在する場合にはステップS2203へ移行する。
【００５８】
例えば、ワークグループ分類部102は、図2から図12の11個の映像素材属性が全て検査済みになるまでステップS2203へ移行し、全て検査済みになった後でステップS2213へ移行する。
ステップS2203では、ワークグループ分類部102は、検査未済の映像素材属性で撮影日時が最も早いものを取得する。
【００５９】
例えば、ワークグループ分類部102は、図2の映像素材属性200が検査未済である場合には映像素材属性200を取得し、また別の時に、映像素材属性200が検査済みであり、かつ、図3の映像素材属性300が検査未済である場合には映像素材属性300を取得し、また別の時に、映像素材属性300が検査済みであり、かつ、図4の映像素材属性400が検査未済である場合には映像素材属性400を取得し、最終的に、図12の映像素材属性1200までを取得する。
【００６０】
ステップS2204では、ワークグループ分類部102は、未確定のワークグループが存在するかを確認し、未確定のワークグループが存在する場合にはステップS2206へ移行し、未確定のワークグループが存在しない場合にはステップS2205へ移行する。
例えば、ワークグループ分類部102は、図2の映像素材属性200を検査中である場合には、初めての検査であり、未確定のワークグループが存在しないため、ステップS2205へ移行する。同様に、後述するステップS2212でワークグループが確定された後でステップS2204に至った場合にも、未確定のワークグループが存在しないため、ステップS2205へ移行する。その他の場合には、未確定のワークグループが存在するため、ステップS2206へ移行する。
【００６１】
ステップS2205では、ワークグループ分類部102は、新規のワークグループを作成する。
例えば、ワークグループ分類部102は、図2の映像素材属性200を検査中である場合には、新規のワークグループ(ワークグループA)を生成する。同様に、後述するステップS2212でワークグループが確定された後でステップS2205に至った場合にも、新規のワークグループを作成する。
【００６２】
ステップS2206では、ワークグループ分類部102は、検査中の映像素材属性が関連する映像素材を、ステップS2205で作成したワークグループに追加する。
例えば、ワークグループ分類部102は、図2の映像素材属性200を検査中である場合には、映像素材属性200が関連する、「M-001」という素材IDをもつ映像素材を、ステップS2205で作成したワークグループ(ワークグループA)に追加する。同様に、図3の映像素材属性300、図4の映像素材属性400を検査中である場合にも、それぞれの映像素材属性が関連する映像素材を、映像素材属性200が関連する、「M-001」という素材IDをもつ映像素材を追加したワークグループと同じもの(ワークグループA)に追加する。このワークグループ(ワークグループA)は、後述するステップS2212で確定されるため、図5の映像素材属性500、図6の映像素材属性600を検査中である場合には、それぞれの映像素材属性が関連する映像素材を、ステップS2205で新たに作成した別のワークグループ(ワークグループB)に追加する。同様にして、図7から図10の4個の映像素材属性を検査中である場合には、それぞれの映像素材属性が関連する映像素材を、ステップS2205でそれぞれ新たに作成したそれぞれ別のワークグループ(それぞれ、ワークグループC、ワークグループD、ワークグループE、ワークグループF)に追加する。図11の映像素材属性1100、図12の映像素材属性1200を検査中である場合には、それぞれの映像素材属性が関連する映像素材を、ステップS2205で新たに作成した別のワークグループ(ワークグループG)に追加する。
【００６３】
ステップS2207では、ワークグループ分類部102は、検査中の映像素材属性を検査済みに設定する。
例えば、ワークグループ分類部102は、図2の映像素材属性200を検査中である場合には、映像素材属性200を検査済みに設定する。同様に、その他の場合にも、検査中の映像素材属性を検査済みに設定する。
【００６４】
ステップS2208では、ワークグループ分類部102は、検査中の映像素材属性に後続する映像素材属性、即ち、検査中の映像素材属性が関連する映像素材よりも撮影日時が遅い映像素材属性が存在するかを確認し、後続する映像素材属性が存在する場合にはステップS2209へ移行し、後続する映像素材属性が存在しない場合にはステップS2212へ移行する。
例えば、ワークグループ分類部102は、図12の映像素材属性1200を検査中である場合には、映像素材属性1200が関連する、「M-011」という素材IDをもつ映像素材が最後に撮影されたものであり、後続する映像素材属性が存在しないため、ステップS2212へ移行する。その他の場合には、後続する映像素材属性が存在するため、ステップS2209へ移行する。
【００６５】
ステップS2209では、ワークグループ分類部102は、検査中の映像素材属性が関連する映像素材の撮影日と、後続する映像素材属性が関連する映像素材の撮影日とが相異なるかを確認し、撮影日が相異なる場合にはステップS2212へ移行し、撮影日が同一である場合にはステップS2210へ移行する。
例えば、ワークグループ分類部102は、図2から図11の10個の映像素材属性を検査中である場合には、これらの映像素材属性が関連する映像素材は全て「2006/01/23」という撮影日に撮影されたものであり、撮影日が全て同一であるため、ステップS2210へ移行する。なお、図12の映像素材属性1200を検査中である場合には、ステップS2208からステップS2212へ移行するため、ステップS2209が実行されない(ステップS2210へ移行しない)ことに注意されたい。
【００６６】
ステップS2210では、ワークグループ分類部102は、検査中の映像素材属性が関連する映像素材の撮影場所と、後続する映像素材属性が関連する映像素材の撮影場所とが相異なるかを確認し、撮影場所が相異なる場合にはステップS2212へ移行し、撮影場所が同一である場合にはステップS2211へ移行する。
例えば、ワークグループ分類部102は、図4の映像素材属性400を検査中である場合には、映像素材属性400が関連する、「M-003」という素材IDをもつ映像素材は「N34.44,E135.34」という撮影場所で撮影されたものである一方で、後続する図5の映像素材属性500が関連する、「M-004」という素材IDをもつ映像素材は「N34.44,E135.35」という撮影場所で撮影されたものであり、撮影場所が相異なるため、ステップS2212へ移行する。同様に、図6の映像素材属性600、図7の映像素材属性700、図10の映像素材属性1000を検査中である場合にも、それぞれの映像素材属性が関連する映像素材と、後続する映像素材属性(それぞれ、図7の映像素材属性700、図8の映像素材属性800、図11の映像素材属性1100)が関連する映像素材とは、撮影場所が相異なるため、ステップS2212へ移行する。その他の場合には、撮影場所が同一であるため、ステップS2211へ移行する。なお、図12の映像素材属性1200を検査中である場合には、ステップS2208からステップS2212へ移行するため、ステップS2210が実行されない(ステップS2211へ移行しない)ことに注意されたい。
【００６７】
ステップS2211では、ワークグループ分類部102は、検査中の映像素材属性が関連する映像素材の撮影時刻と、後続する映像素材属性が関連する映像素材の撮影時刻とから、連続して撮影された映像素材間の撮影時間間隔を算出し、算出した撮影時間間隔が一定値以下であるかを確認し、撮影時間間隔が一定値以下である場合にはステップS2202へ戻り、撮影時間間隔が一定値を超える場合にはステップS2212へ移行する。
【００６８】
例えば、ワークグループ分類部102は、図8の映像素材属性800を検査中である場合には、映像素材属性800が関連する、「M-007」という素材IDをもつ映像素材は「15:00」という撮影時刻に撮影されたものである一方で、後続する図9の映像素材属性900が関連する、「M-008」という素材IDをもつ映像素材は「15:30」という撮影時刻に撮影されたものであり、例えば、算出した撮影時間間隔が10分を超えるため、ステップS2212へ移行する。同様に、図9の映像素材属性900を検査中である場合にも、映像素材属性900が関連する映像素材と、後続する映像素材属性10が関連する映像素材とは、例えば、算出した撮影時間間隔が10分を超えるため、ステップS2212へ移行する。その他の場合には、撮影場所が同一であるため、ステップS2202へ戻る。なお、図4の映像素材属性4、図6の映像素材属性600、図7の映像素材属性700、図10の映像素材属性1000を検査中である場合には、ステップS2210からステップS2212へ移行し、また、図12の映像素材属性1200を検査中である場合には、ステップS2208からステップS2212へ移行するため、ステップS2211が実行されないことに注意されたい。
【００６９】
ステップS2212では、ワークグループ分類部102は、ステップS2205で作成したワークグループを確定し、ステップS2202へ戻る。
例えば、ワークグループ分類部102は、図4の映像素材属性400を検査中である場合には、映像素材属性400が関連する、「M-003」という素材IDをもつ映像素材を追加したワークグループ(ワークグループA)を確定し、ステップS2202へ戻る。同様に図6から図10の5個の映像素材属性を検査中である場合にも、それぞれの映像素材属性が関連する映像素材を追加したワークグループ(それぞれ、ワークグループB、ワークグループC、ワークグループD、ワークグループE、ワークグループF)を確定し、ステップS2202へ戻る。図12の映像素材属性1200を検査中である場合にも、映像素材属性1200が関連する映像素材を追加したワークグループ(ワークグループG)を確定し、ステップS2202へ戻る。
【００７０】
ステップS2213では、ワークグループ分類部102は、各ワークグループに該当する映像素材の映像素材属性を結合することで、ワークグループ情報を生成する。
例えば、ワークグループ分類部102は、図2から図4の3個の映像素材属性が関連する映像素材を追加したワークグループ(ワークグループA)に関して、このワークグループ(ワークグループA)に該当する映像素材に共通の「2006/01/23」という撮影日と、「N34.44,E135.34」という撮影場所に加えて、このワークグループ(ワークグループA)に該当するそれぞれの映像素材に固有の、例えば、「10:10」という撮影時刻と、「M-001」という素材IDとを結合する。同様に、図5から図6の2個の映像素材属性が関連する映像素材を追加したワークグループ(ワークグループB)に関して、このワークグループ(ワークグループB)に該当する映像素材に共通の撮影日と撮影場所に加えて、このワークグループ(ワークグループB)に該当するそれぞれの映像素材に固有の撮影時刻と素材IDとを結合する。その他のワークグループ(それぞれ、ワークグループB、ワークグループC、ワークグループD、ワークグループE、ワークグループF、ワークグループG)に関しても、それぞれのワークグループに該当する映像素材に共通の撮影日と撮影場所に加えて、それぞれのワークグループに該当するそれぞれの映像素材に固有の撮影時刻と素材IDとを結合し、最終的に、例えば、図13のワークグループテーブル1300を生成する。
《ワークグループ割当部104の動作例》
この第1実施形態において、ワークグループ割当部104がワークグループを撮影計画表へ対応付ける場合の動作を示すフローチャートを図23と図24に示す。ここでは、図20のステップS2002で、ワークグループ分類部102から図13のワークグループテーブル1300が登録され、図20のステップS2003で、撮影計画表取得部103から図14の撮影計画表1400が登録されたものとする。
【００７１】
ステップS2301では、ワークグループ割当部104は、撮影計画表取得部103から登録された撮影計画表の全ての撮影シーケンスが検査済みであるかを確認し、全ての撮影シーケンスが検査済みである場合にはステップS2313へ移行し、検査未済の撮影シーケンスが存在する場合にはステップS2302へ移行する。
例えば、ワークグループ割当部104は、図14の撮影計画表1400の撮影シーケンスが全て検査済みになるまでステップS2302へ移行し、全て検査済みになった後でステップS2313へ移行する。
【００７２】
ステップS2302では、ワークグループ割当部104は、検査未済の撮影シーケンスで撮影日時が最も早いものを取得する。
例えば、ワークグループ割当部104は、図14の撮影計画表1400の最初の撮影シーケンス1401が検査未済である場合には、撮影シーケンス1401を取得し、また別の時に最初の撮影シーケンス1401が検査済みであり、かつ、次の撮影シーケンス1402が検査未済である場合には、撮影シーケンス1402を取得し、最終的に最後の撮影シーケンスまでを取得する。
【００７３】
ステップS2303では、ワークグループ割当部104は、ワークグループ分類部102から登録されたワークグループテーブルの全てのワークグループが検査済みであるかを確認し、全てのワークグループが検査済みである場合にはステップS2315へ移行し、検査未済のワークグループが存在する場合にはステップS2304へ移行する。
例えば、ワークグループ割当部104は、図13のワークグループテーブル1300の各ワークグループが全て検査済みになるまでステップS2304へ移行し、全て検査済みになった後でステップS2315へ移行する。
【００７４】
ステップS2304では、ワークグループ割当部104は、検査未済のワークグループで撮影日時が最も早いものを取得する。
例えば、ワークグループ割当部104は、図13のワークグループテーブル1300の最初のワークグループ1301が検査未済である場合には、ワークグループ1301を取得し、また別の時に最初のワークグループ1301が検査済みであり、かつ、次のワークグループ1302が検査未済である場合には、ワークグループ1302を取得し、最終的に最後のワークグループまでを取得する。
【００７５】
ステップS2305では、ワークグループ割当部104は、検査中の撮影シーケンスの撮影場所が、検査中のワークグループの撮影場所と同一であるかを確認し、撮影場所が同一である場合はステップS2306へ移行し、撮影場所が同一でない場合はステップS2308へ移行する。
例えば、ワークグループ割当部104は、ステップS2302で撮影計画表1400の最初の撮影シーケンス1401を取得し、ステップS2304でワークグループテーブル1300のワークグループ1301を取得したとする。
【００７６】
ワークグループ割当部104は、「スタジオ1」という撮影シーケンス1401の撮影場所と、「N34.44,E135.34」というワークグループ1301の撮影場所とを比較し、両者が同一であるため、ステップS2306へ移行する。但し、ワークグループ割当部104は、地名と緯度・経度を対応付ける表を予め備えているものとする。
ステップS2306では、ワークグループ割当部104は、当該ワークグループを当該撮影シーケンスへ対応付ける。
【００７７】
例えば、ワークグループ割当部104は、ステップS2302で撮影計画表1400の最初の撮影シーケンス1401を取得し、ステップS2304でワークグループテーブル1300の最初のワークグループ1301を取得していた場合、ワークグループ1301を撮影シーケンス1401に対応付ける。
ステップS2307では、ワークグループ割当部104は、当該ワークグループを検査済みに設定する。
【００７８】
例えば、ワークグループ割当部104は、ワークグループテーブル1300の最初のワークグループ1301を検査中である場合は、これを検査済みに設定する。その他のワークグループを検査中である場合も、検査中のワークグループを検査済みに設定する。
ステップS2308では、ワークグループ割当部104は、対応付け未済の検査済み撮影シーケンスが存在するかどうか確認し、存在する場合はステップS2309へ移行し、存在しない場合はステップS2312へ移行する。
【００７９】
例えば、ワークグループ割当部104は、最初にステップS2305で撮影場所が同一でないと判断される撮影シーケンス(撮影シーケンスA)を処理する場合、ステップS2312に移行し、撮影シーケンスAは検査済みに設定される。次にステップS2305で撮影場所が同一でないと判断される撮影シーケンス(撮影シーケンスB)を処理する場合は、先に検査済みに設定した撮影シーケンス(撮影シーケンスA)が存在するため、ステップS2309に移行する。
【００８０】
ステップS2309では、ワークグループ割当部104は、対応付け未済の検査済み撮影シーケンスを取得する。
例えば、ワークグループ割当部104は、上記の例では、撮影シーケンスAを取得する。
ステップS2310では、ワークグループ割当部104は、ステップS2304で取得したワークグループの撮影場所と、ステップS2309で取得した対応付け未済の検査済み撮影シーケンスの撮影場所とが同一であるか確認し、撮影場所が同一である場合はステップS2311へ移行し、撮影場所が同一でない場合はステップS2312へ移行する。
【００８１】
例えば、ワークグループ割当部104は、上記の例では、撮影シーケンスAの撮影場所と当該ワークグループの撮影シーケンスの撮影場所が同一であるか確認し、同一であればステップS2311へ移行し、同一でないならばステップS2312へ移行する。
ステップS2311では、ワークグループ割当部104は、当該ワークグループを当該対応付け未済の検査済み撮影シーケンスへ対応付ける。
【００８２】
例えば、ワークグループ割当部104は、上記の例では、ステップS2304で取得したワークグループに撮影シーケンスAを対応付ける。
ステップS2312では、ワークグループ割当部104は、当該撮影シーケンスを検査済みに設定する。
例えば、ワークグループ割当部104は、上記の例では撮影シーケンスAを検査済みに設定する。
【００８３】
ステップS2313では、ワークグループ割当部104は、対応付け未済のワークグループが存在するかを確認し、存在すればステップS2314へ移行し、存在しなければステップS2317へ移行する。
例えば、ワークグループ割当部104は、図13のワークグループテーブル1300が登録されたとき、ワークグループテーブル1300のすべてのワークグループが撮影シーケンスに対応付けられるまでは、ステップS2314に移行し、すべてのワークグループが撮影シーケンスに対応付けられたあとで、ステップS2317へ移行する。
【００８４】
ステップS2314では、ワークグループ割当部104は、対応付け未済のワークグループの検査履歴を初期化する。
例えば、ワークグループ割当部104は、対応付け未済のワークグループの検査履歴を初期化し、ステップS2302からやり直す。
ステップS2315では、ワークグループ割当部104は、対応付け未済のワークグループが存在するかを確認し、存在すればステップS2316へ移行し、存在しなければステップS2301へ移行する。
【００８５】
例えば、ワークグループ割当部104は、図13のワークグループテーブル1300が登録されたとき、ワークグループテーブル1300のすべてのワークグループが撮影シーケンスに対応付けられるまでは、ステップS2316に移行し、すべてのワークグループが撮影シーケンスに対応付けられたあとでステップS2301へ戻る。
ステップS2316では、ワークグループ割当部104は、対応付け未済のワークグループの検査履歴を初期化する。
【００８６】
例えば、ワークグループ割当部104は、対応付け未済の撮影シーケンスの検査履歴を初期化し、ステップS2302からやり直す。
ステップS2317では、ワークグループ割当部104は、対応付け未済の撮影シーケンスが存在するか確認し、存在すればステップS2318へ移行し、存在しなければステップS2319へ移行する。
【００８７】
例えば、ワークグループ割当部104は、図13のワークグループテーブル1300の中のいずれのワークグループとも撮影場所の異なる撮影シーケンスが図14の撮影計画表1400に存在する場合、それらの撮影シーケンスはワークグループに対応付けされることなくステップS2317に到達するので、ステップS2318へ移行する。
ステップS2318では、ワークグループ割当部104は、対応付け未済の撮影シーケンスを撮影中止シーケンスに設定する。
【００８８】
例えば、ワークグループ割当部104は、対応付け未済の撮影シーケンスは撮影中止されたものと判断し、撮影中止シーケンスに設定する。
ステップS2319では、ワークグループ割当部104は、ワークグループリストを生成する。
例えば、ワークグループ割当部104は、図13のワークグループテーブル1300と図14の撮影計画表1400とが登録されたとき、図15のワークグループリスト1500を生成する。
《ワークグループシーケンス生成部106の動作例》
この第1実施形態において、ワークグループシーケンス生成部106がワークグループリストを番組構成表へ対応付ける場合の動作を示すフローチャートを図25に示す。ここでは、図21で図15のワークグループリスト1500が取得され、ステップ2102で図17の番組構成表1700が取得されたものとする。
【００８９】
ステップS2401では、ワークグループシーケンス生成部106は、全ワークグループを検査済みか確認し、検査済みでないワークグループが存在すればステップS2402へ移行し、存在しなければステップS2406へ移行する。
例えば、ワークグループシーケンス生成部106は、図15のワークグループリスト1500のすべてのワークグループを走査し、検査済みか確認する。検査済みでないワークグループが存在するうちはステップS2402へ移行し、対応付けが進行しすべてのワークグループが検査済みになればステップS2406へ移行する。
【００９０】
ステップS2402では、ワークグループシーケンス生成部106は、検査未済のワークグループで番組構造識別の最も若いものを取得する。
例えば、ワークグループシーケンス生成部106は、図15のワークグループリスト1500のうち、ワークグループ1501が検査未済ならばワークグループ1501を取得し、ワークグループ1501が検査済みで、ワークグループ1502が検査未済ならばワークグループ1502を取得し、ワークグループ1501とワークグループ1502が検査済みで、ステップS2404が検査未済ならばワークグループ1504を取得する。
【００９１】
ステップS2403では、ワークグループシーケンス生成部106は、番組構造識別が同一の番組要素情報を取得する。
例えば、ワークグループシーケンス生成部106は、ステップS2402でワークグループ1501を取得したとすると、ワークグループ1501の番組構造識別はシーンID「S-001」、カットID「C-001〜C-002」であるので、番組要素情報1701と番組要素情報1702とを取得する。
【００９２】
ステップS2404では、ワークグループシーケンス生成部106は、当該ワークグループを当該番組要素情報へ対応付ける。
例えば、ワークグループシーケンス生成部106は、ステップS2402でワークグループ1501を取得したとすると、ステップS2403で番組要素情報1701と番組要素情報1702とを取得するので、ワークグループ1501を番組要素情報1701と番組要素情報1702とに対応付ける。
【００９３】
ステップS2405では、ワークグループシーケンス生成部106は、当該ワークグループを検査済みに設定する。
例えば、ワークグループシーケンス生成部106は、ワークグループ1501を検査中であった場合、ワークグループ1501を検査済みに設定する。
ステップS2406では、ワークグループシーケンス生成部106は、対応付け未済の番組要素情報があるか確認し、対応付け未済の番組要素情報が存在すればステップS2407へ移行し、存在しなければステップS2408へ移行する。
【００９４】
例えば、ワークグループシーケンス生成部106は、図17の番組構成表1700の中に、実際には撮影されていないシーン・カットを要求する番組要素情報が記述されていた場合、この番組要素情報はワークグループに対応付けられないので、対応付け未済の番組要素情報が存在することになり、ステップS2407へ移行する。
ステップS2407では、ワークグループシーケンス生成部106は、対応付け未済の番組要素情報を撮影中止ワークグループに設定する。
【００９５】
例えば、ワークグループシーケンス生成部106は、上記のように対応付けられない番組要素情報を撮影中止と判断し、撮影中止ワークグループに設定する。
ステップS2408では、ワークグループシーケンス生成部106は、ワークグループシーケンスを生成する。
例えば、ワークグループシーケンス生成部106は、図15のワークグループリスト1500と、図17の番組構成表1700とが登録されたとき、図18のワークグループシーケンス1800を生成する。
《映像素材シーケンス情報生成部107の動作例》
この第1実施形態において、映像素材シーケンス情報生成部107が映像素材をワークグループシーケンスへ対応付ける場合の動作を示すフローチャートを図26と図27に示す。
【００９６】
ステップS2501では、映像素材シーケンス情報生成部107は、対応付け未済のワークグループが存在するか確認し、存在すればステップS2502へ移行し、存在しなければステップS2505へ移行する。
例えば、映像素材シーケンス情報生成部107に、図18のワークグループシーケンス1800が登録されたとき、すべてのワークグループが対応付け済みになるまでステップS2502へ移行し、すべてのワークグループが対応付け済みになった後でステップS2505へ移行する。
【００９７】
ステップS2502では、映像素材シーケンス情報生成部107は、対応付け未済のワークグループで番組構造識別が最も若いものを取得する。
例えば、映像素材シーケンス情報生成部107に、図18のワークグループシーケンス1800が登録されたとき、シーン「S-001」のワークグループが対応付け未済であるときは、このワークグループを取得し、シーン「S-001」のワークグループが対応付け済みで、シーン「S-002」のワークグループが対応付け未済であるときは、シーン「S-002」のワークグループを取得する。
【００９８】
ステップS2503では、映像素材シーケンス情報生成部107は、当該ワークグループが撮影中止ワークグループであるか確認し、撮影中止ワークグループであればステップS2504へ移行し、撮影中止ワークグループでなければステップS2506へ移行する。
例えば、映像素材シーケンス情報生成部107に、図18のワークグループシーケンス1800が登録され、ステップS2502で取得したシーン「S-001」のワークグループが撮影中止ワークグループであった場合、ステップS2504へ移行する。
【００９９】
ステップS2504では、映像素材シーケンス情報生成部107は、当該ワークグループを対応付け済みに設定する。
例えば、映像素材シーケンス情報生成部107に、図18のワークグループシーケンス1800が登録され、シーン「S-001」の番組構造識別をもつワークグループが撮影中止ワークグループあった場合、これを対応付け済みに設定する。
【０１００】
ステップS2505では、映像素材シーケンス情報生成部107は、映像素材シーケンス情報を生成する。
例えば、映像素材シーケンス情報生成部107に、図18のワークグループシーケンス1800が登録されたとき、図19の映像素材シーケンス情報1900を生成する。
ステップS2506では、映像素材シーケンス情報生成部107は、切り返し撮影カットを検出する。
【０１０１】
例えば、映像素材シーケンス情報生成部107に、図18のワークグループシーケンス1800が登録されたとき、カット1806からカット1809はカメラアングルだけを切り替えながら、映像素材属性1100と映像素材属性1200とを交互に並べているので、切り返しカットと判定される。
ステップS2507では、映像素材シーケンス情報生成部107は、全カットを検査済みであるかを確認し、検査済みであるならステップS2501へ移行し、検査済みでないならばステップS2508へ移行する。
【０１０２】
例えば、映像素材シーケンス情報生成部107は、図18のワークグループシーケンス1800のカットが全て検査済みになるまでステップS2508へ移行し、全て検査済みになった後でステップS2501へ戻る。
ステップS2508では、映像素材シーケンス情報生成部107は、検査未済のカットで番組構造識別が最も若いものを取得する。
【０１０３】
例えば、映像素材シーケンス情報生成部107は、シーン「S-001」の番組構造識別をもつワークグループを検査中であるとき、このワークグループに含まれるカット「C-001」を取得する。
ステップS2509では、映像素材シーケンス情報生成部107は、全映像素材を検査済みであるかを確認し、未検査の映像素材があればステップS2510へ移行し、全ての映像素材が検査済みであればステップS2516へ移行する。
【０１０４】
例えば、映像素材シーケンス情報生成部107はステップS2508で取得したカットに対して、同じ撮影パラメータをもつ映像素材を探索し、全ての映像素材を探索するまではステップS2510へ移行し、全ての映像素材を探索し終えた後でステップS2516へ移行する。
ステップS2510では、映像素材シーケンス情報生成部107は、検査未済の映像素材で撮影時刻が最も早いものを取得する。
【０１０５】
例えば、映像素材シーケンス情報生成部107は、図2の映像素材属性200が検査未済である場合には映像素材属性200を取得し、また別のときに、映像素材属性200が検査済みであり、図3の映像素材属性300が検査未済である場合には映像素材属性300を取得し、最終的に図12の映像素材属性1200までを取得する。
ステップS2511では、映像素材シーケンス情報生成部107は、ステップS2508で取得したカットの撮影パラメータとステップS2510で取得した映像素材属性の撮影パラメータとが同一であるかを確認し、同一であればステップS2512へ移行し、同一でないならばステップS2519へ移行する。
【０１０６】
例えば、映像素材シーケンス情報生成部107が、シーン「S-001」を検査中で、ステップS2508でカット「C-002」を取得した場合、ワークグループシーケンスに記載された撮影パラメータは「バストショット」、「南西」、「ズームOUT」である。ステップS2510において、これと異なる撮影パラメータもつ映像素材属性200を取得した場合はステップS2519に移行し、同一の撮影パラメータをもつ映像素材属性300を取得した場合はステップS2512へ移行する。
【０１０７】
ステップS2512では、映像素材シーケンス情報生成部107は、当該カットが切り返し撮影カットであるか確認し、切り返し撮影カットでなければステップS2513切り返し撮影カットであればステップS2514へ移行する。
例えば、映像素材シーケンス情報生成部107は、ステップS2508で取得したカットが、切り返し撮影カットであるカット1806からカット1809のいずれでもない場合はステップS2513へ移行し、カット1806からカット1809のいずれかである場合はステップS2514へ移行する。
【０１０８】
ステップS2513では、映像素材シーケンス情報生成部107は、当該映像素材を当該カットに対応付けする。
例えば、映像素材シーケンス情報生成部107は、ステップS2508で図18のカット1801を取得し、ステップS2510で図2の映像素材属性200を取得した場合、映像素材属性200をカット1801に対応付けする。
【０１０９】
ステップS2514では、映像素材シーケンス情報生成部107は、当該映像素材を重複対応付けする。
例えば、映像素材シーケンス情報生成部107は、ステップS2508で図18のカット1806を取得し、ステップS2510で図11の映像素材属性1100を取得した場合、映像素材属性1100をカット1806とカット1808とに重複して対応付けする。
【０１１０】
ステップS2515では、映像素材シーケンス情報生成部107は、当該映像素材属性を検査済みに設定する。
例えば、映像素材シーケンス情報生成部107は、図2の映像素材属性200を検査中であったとすると、映像素材属性200を検査済みに設定する。他の映像素材属性を検査中である場合も同様に、当該映像素材属性を検査済みに設定する。
【０１１１】
ステップS2516では、映像素材シーケンス情報生成部107は、対応付け未済のカットが存在するか確認し、存在する場合はステップS2517へ移行し、存在しない場合はステップS2518へ移行する。
例えば、映像素材シーケンス情報生成部107は、ステップS2508で図18のカット1812を取得し、このカット1812と同一の撮影パラメータをもつ映像素材が存在しない場合、カット1812は対応付け未済のカットとしてステップS2516まで残るので、ステップS2517へ移行する。
【０１１２】
ステップS2517では、映像素材シーケンス情報生成部107は、当該カットを撮影中止カットに設定する。
例えば、映像素材シーケンス情報生成部107は、図18のカット1812を検査中である場合は、カット1812を、撮影中止カットに設定する。他のカットを検査中である場合も同様に、当該カットを撮影中止カットに設定する。
【０１１３】
ステップS2518では、映像素材シーケンス情報生成部107は、当該カットを検査済みに設定する。
例えば、映像素材シーケンス情報生成部107は、図18のカット1812を検査中である場合は、カット1812を、検査済みに設定する。他のカットを検査中である場合も同様に、当該カットを検査済みに設定する。
【０１１４】
ステップS2519では、映像素材シーケンス情報生成部107は、検査未済の映像素材で撮影時刻が次に早いものを仮取得する。
例えば、映像素材シーケンス情報生成部107は、ステップS2510で図6の映像素材属性600を取得している場合、撮影時刻が次に早い映像素材である図7の映像素材属性700を仮取得する。
【０１１５】
ステップS2520では、映像素材シーケンス情報生成部107は、ステップS2508で取得したカットとステップS2519で仮取得した映像素材との撮影パラメータが同一であるか確認し、同一であればステップS2521へ移行し、同一でなければステップS2515へ移行する。
例えば、映像素材シーケンス情報生成部107は、図18のカット1804を検査中にステップS2510で図6の映像素材属性600を取得したとき、カット1804の撮影パラメータと映像素材属性600の撮影パラメータとは異なるので、ステップS2511からステップS2519へ移行し,ステップS2519で撮影時刻が次に早い映像素材である図8の映像素材属性800を取得する。映像素材属性800の撮影パラメータとカット1804の撮影パラメータとは同一であるので、ステップS2521へ移行する。
【０１１６】
ステップS2521では、映像素材シーケンス情報生成部107は、当該映像素材を新規挿入カットに設定する。
例えば、映像素材シーケンス情報生成部107は、上記の例では、映像素材属性600を新規挿入カットに設定する。
〈切り返し撮影カット検出部の詳細〉
この第1実施形態において、映像素材シーケンス情報生成部107が切り返し撮影カットを検出する場合の動作を示すフローチャートを図28と図29に示す。ここでは、図18のワークグループシーケンス1800の中で、番組要素情報がシーン「S-002」で、カット1806からカット1809を含むワークグループが登録されたものとする。
【０１１７】
ステップS2601では、切り返し撮影カット検出部は、全カットを検査済みであるか確認し、検査済みならば終了し、検査済みでなければステップS2602へ移行する。
例えば、切り返し撮影カット検出部は、カット1806からカット1809までを順に検査し、すべてのカットが検査済みになるまではステップS2602へ移行し、すべてのカットが検査済みになると終了する。
【０１１８】
ステップS2602では、切り返し撮影カット検出部は、検査未済のカットで番組構造識別が最も若いものを取得する。
例えば、切り返し撮影カット検出部は、カット1806が検査未済ならばカット1806を取得し、カット1806が検査済みでカット1807が検査未済ならカット1807を取得し、最終的にカット1809までを取得する。
【０１１９】
ステップS2603では、切り返し撮影カット検出部は、当該カットが奇数番目であるかを確認し、奇数番目ならばステップS2604へ移行し、奇数番目でないならばステップS2615へ移行する。
例えば、切り返し撮影カット検出部は、ステップS2602でカット1806を取得した場合、これは当該ワークグループで1番目のカットであるので、ステップS2604へ移行する。ステップS2602でカット1807を取得した場合、これは当該ワークグループで2番目のカットであるので、ステップS2615へ移行する。
【０１２０】
ステップS2604では、切り返し撮影カット検出部は、第1撮影パラメータが未設定であるかを確認し、未設定であるならばステップS2605へ移行し、未設定でないならばステップS2608へ移行する。
例えば、切り返し撮影カット検出部は、カット1806を検査中のときは、これは当該ワークグループで最初の奇数番目カットなので、第1撮影パラメータは未設定であり、ステップS2605へ移行する。カット1808を検査中のときは、これは当該ワークグループで2番目の奇数番目カットなので、既に第1撮影パラメータは設定されており、ステップS2608へ移行する。
【０１２１】
ステップS2605では、切り返し撮影カット検出部は、第1撮影パラメータを設定する。
例えば、切り返し撮影カット検出部は、カット1806を検査中にステップS2605へ到達するので、第1撮影パラメータをカット1806の撮影パラメータ「バストショット」「北東」「固定」に設定する。
ステップS2606では、切り返し撮影カット検出部は、当該カットを第1カットグループに追加する。
【０１２２】
例えば、切り返し撮影カット検出部は、カット1806を検査中ならカット1806を第1カットグループに追加する。
ステップS2607では、切り返し撮影カット検出部は、当該カットを検査済みに設定する。
例えば、切り返し撮影カット検出部は、カット1806を検査中ならカット1806を検査済みに設定する。
【０１２３】
ステップS2608では、切り返し撮影カット検出部は、当該カットの撮影パラメータが第1撮影パラメータと同一であるかを確認し、同一であればステップS2606へ移行し、同一でなければステップS2609へ移行する。
例えば、切り返し撮影カット検出部は、カット1808を検査中である場合、第1撮影パラメータは「バストショット」「北東」「固定」と設定されており、これらの撮影パラメータはカット1808の撮影パラメータと同一であるのでステップS2606へ移行する。
【０１２４】
ステップS2609では、切り返し撮影カット検出部は、当該カットの検査履歴を初期化する。
例えば、切り返し撮影カット検出部は、2番目以降の奇数番目カットに第1撮影パラメータと異なる撮影パラメータをもつカットを見つけた場合、これを当該切り返し撮影カットの終了と判定し、当該カットの検査履歴を初期化する。
【０１２５】
ステップS2610では、切り返し撮影カット検出部は、第2カットグループのカット数が2個以上であるかを確認し、2個以上であるならばステップS2611へ移行し、2個以上でないならばステップS2614へ移行する。
例えば、切り返し撮影カット検出部は、第2カットグループにカット1807と,カット1809との2つが属している場合は、ステップS2611に移行し、第2カットグループにカット1807のみが属している場合は、ステップS2614に移行する。
【０１２６】
ステップS2611では、切り返し撮影カット検出部は、第2カットグループに属するカットを切り返し撮影カットに設定する。
例えば、切り返し撮影カット検出部は、第2カットグループにカット1807と、カット1809との2つが属している場合は、これらのカットを切り返し撮影カットに設定する。
ステップS2612では、切り返し撮影カット検出部は、第1カットグループに属するカットを切り返し撮影カットに設定する。
【０１２７】
例えば、切り返し撮影カット検出部は、第1カットグループにカット1806と、カット1808の2つが属している場合は、これらのカットを切り返し撮影カットに設定する。
ステップS2613では、切り返し撮影カット検出部は、第1カットグループと第2カットグループとを初期化する。
例えば、切り返し撮影カット検出部は、第1カットグループおよび第2カットグループを初期化し、それぞれのカットグループを空にする。
【０１２８】
ステップS2614では、切り返し撮影カット検出部は、第1カットグループのカット数が2個以上であるかを確認し、2個以上であるならばステップS2612へ移行し、2個以上でないならばステップS2613へ移行する。
例えば、切り返し撮影カット検出部は、第1カットグループにカット1806と、カット1808との2つが属している場合は、ステップS2612に移行し、第1カットグループにカット1806のみが属している場合は、ステップS2613に移行する。  ステップS2615では、切り返し撮影カット検出部は、第2撮影パラメータが未設定であるかを確認し、未設定ならばステップS2616へ移行し、未設定でないならステップS2619へ移行する。
【０１２９】
例えば、切り返し撮影カット検出部は、カット1807を検査中のときは、これは当該ワークグループで最初の偶数番目カットなので、第2撮影パラメータは未設定であり、ステップS2616へ移行する。カット1809を検査中のときは、これは当該ワークグループで2番目の偶数番目カットなので、既に第2撮影パラメータは設定されており、ステップS2619へ移行する。
【０１３０】
ステップS2616では、切り返し撮影カット検出部は、第2撮影パラメータを設定する。
例えば、切り返し撮影カット検出部は、カット1807を検査中にステップS2616へ到達するので、第2撮影パラメータをカット1807の撮影パラメータ「バストショット」「北西」「固定」に設定する。
ステップS2617では、切り返し撮影カット検出部は、当該カットを第2カットグループに追加する。
【０１３１】
例えば、切り返し撮影カット検出部は、カット1807を検査中ならカット1807を第2カットグループに追加する。
ステップS2618では、切り返し撮影カット検出部は、当該カットを検査済みに設定する。
例えば、切り返し撮影カット検出部は、カット1807を検査中ならカット1807を検査済みに設定する。
【０１３２】
ステップS2619では、切り返し撮影カット検出部は、当該カットの撮影パラメータが第2撮影パラメータと同一であるかを確認し、同一であればステップS2617へ移行し、同一でなければステップS2620へ移行する。
例えば、切り返し撮影カット検出部は、カット1809を検査中である場合、第2撮影パラメータは「バストショット」「北西」「固定」と設定されており、これらの撮影パラメータはカット1809の撮影パラメータと同一であるのでステップS2617へ移行する。
【０１３３】
ステップS2620では、切り返し撮影カット検出部は、当該カットの検査履歴を初期化する。
例えば、切り返し撮影カット検出部は、2番目以降の偶数番目カットに第2撮影パラメータと異なる撮影パラメータをもつカットを見つけた場合、これを当該切り返し撮影カットの終了と判定し、当該カットの検査履歴を初期化する。
【０１３４】
ステップS2621では、切り返し撮影カット検出部は、第1カットグループに属するカットを切り返し撮影カットに設定する。
例えば、切り返し撮影カット検出部は、ステップS2621に到達した時点では第1カットグループのカット数は2個以上であるので、第1カットグループにカット1806と、カット1808の2つが属しているとすると、これらのカットを切り返し撮影カットに設定する。
【０１３５】
ステップS2622では、切り返し撮影カット検出部は、第2カットグループのカット数が2個以上であるかを確認し、2個以上であるならばステップS2623へ移行し、2個以上でないならばステップS2624へ移行する。
例えば、切り返し撮影カット検出部は、第2カットグループにカット1807と、カット1809との2つが属している場合は、ステップS2623に移行し、第2カットグループにカット1807のみが属している場合は、ステップS2624に移行する。
【０１３６】
ステップS2623では、切り返し撮影カット検出部は、第2カットグループに属するカットを切り返し撮影カットに設定する。
例えば、切り返し撮影カット検出部は、第2カットグループにカット1807、カット1809の2つが属している場合は、これらのカットを切り返し撮影カットに設定する。
ステップS2624では、切り返し撮影カット検出部は、第1カットグループと第2カットグループとを初期化する。
【０１３７】
例えば、切り返し撮影カット検出部は、第1カットグループおよび第2カットグループを初期化し、それぞれのカットグループを空にする。
《その他の実施形態》
〈手段に係わるその他の実施形態〉
なお、本発明の第1実施形態において、映像素材シーケンス情報生成部107は、撮影パラメータが同一の場合は同一の番組要素情報に重複して対応付けられるが、重複して対応付けられた映像素材のうち、撮影時刻が最も早い映像素材を選択するようにしてもよい。また、重複して対応付けられた複数の映像素材からユーザの指示により選択できるようにしても良い。
【０１３８】
＜第2実施形態＞
本発明の第2実施形態の映像管理および番組編集装置の概略構成を示す機能ブロック図を図30に示す。
本発明の第2実施形態に係る番組編集装置は、第1実施形態に係る番組編集装置に加えて、重複映像素材選択部108を備えている。
【０１３９】
重複映像素材選択部108は、映像素材シーケンス情報に重複して対応付けられた複数の映像素材属性から、ユーザの指示によって特定の映像素材属性を選択する装置である。重複映像素材選択部108は、ユーザの指示を入力するためのキーボードなどの入力部と、入力された指示に対してユーザに応答するためのディスプレイ等を備える。
上記の構成により、映像素材属性取得部101で取得した映像素材は、撮影計画表と番組構成表とに基づいて自動的に並べ替えられ、必要に応じて重複映像素材から適切な映像素材を選択することにより番組が生成される。生成された番組は、放送設備から配信することができ、また、その場で視聴することもできるので、映像素材になんらかの不備があった場合や番組構成を変更する場合でも、すぐに撮影をやり直すことができる。
【産業上の利用可能性】
【０１４０】
本発明は、番組制作における映像素材の収集作業および編集作業に適用することができる。撮影した映像素材に自動的に付与されるメタ情報と、従来から用いられている撮影計画表および番組構成表との対応付けをすることにより、撮影現場で簡易に番組編集を行い、番組内容を即座に確認できるため、映像素材の撮り忘れなどを防止することができ、番組制作の効率をあげることが可能となる。
【図面の簡単な説明】
【０１４１】
【図１】本発明の第1実施形態の映像管理装置の概略構成図。
【図２】映像素材属性の一例を示す説明図。
【図３】映像素材属性の一例を示す説明図。
【図４】映像素材属性の一例を示す説明図。
【図５】映像素材属性の一例を示す説明図。
【図６】映像素材属性の一例を示す説明図。
【図７】映像素材属性の一例を示す説明図。
【図８】映像素材属性の一例を示す説明図。
【図９】映像素材属性の一例を示す説明図。
【図１０】映像素材属性の一例を示す説明図。
【図１１】映像素材属性の一例を示す説明図。
【図１２】映像素材属性の一例を示す説明図。
【図１３】ワークグループテーブルの一例を示す説明図。
【図１４】撮影計画表の一例を示す説明図。
【図１５】ワークグループリストの一例を示す説明図。
【図１６】本発明の第1実施形態の番組編集装置の概略構成図。
【図１７】番組構成表の一例を示す説明図。
【図１８】ワークグループシーケンスの一例を示す説明図。
【図１９】映像素材シーケンス情報の一例を示す説明図。
【図２０】第1実施形態の映像管理装置の動作を示すフローチャート。
【図２１】第1実施形態の番組編集装置の動作を示すフローチャート。
【図２２】第1実施形態のワークグループ分類部の動作を示すフローチャート。
【図２３】第1実施形態のワークグループ割当部の動作を示すフローチャート。
【図２４】第1実施形態のワークグループ割当部の動作を示すフローチャート(続き)。
【図２５】第1実施形態のワークグループシーケンス生成部の動作を示すフローチャート。
【図２６】第1実施形態の映像素材シーケンス情報生成部の動作を示すフローチャート。
【図２７】第1実施形態の映像素材シーケンス情報生成部の動作を示すフローチャート(続き)。
【図２８】第1実施形態の映像素材シーケンス情報生成部の切り返し撮影カットの検出動作を示すフローチャート。
【図２９】第1実施形態の映像素材シーケンス情報生成部の切り返し撮影カットの検出動作を示すフローチャート(続き)。
【図３０】本発明の第2実施形態の番組編集装置の概略構成図。
【図１】
2008010112.tif 000003
【図２】
2008010112.tif 000004
【図３】
2008010112.tif 000005
【図４】
2008010112.tif 000006
【図５】
2008010112.tif 000007
【図６】
2008010112.tif 000008
【図７】
2008010112.tif 000009
【図８】
2008010112.tif 000010
【図９】
2008010112.tif 000011
【図１０】
2008010112.tif 000012
【図１１】
2008010112.tif 000013
【図１２】
2008010112.tif 000014
【図１３】
2008010112.tif 000015
【図１４】
2008010112.tif 000016
【図１５】
2008010112.tif 000017
【図１６】
2008010112.tif 000018
【図１７】
2008010112.tif 000019
【図１８】
2008010112.tif 000020
【図１９】
2008010112.tif 000021
【図２０】
2008010112.tif 000022
【図２１】
2008010112.tif 000023
【図２２】
2008010112.tif 000024
【図２３】
2008010112.tif 000025
【図２４】
2008010112.tif 000026
【図２５】
2008010112.tif 000027
【図２６】
2008010112.tif 000028
【図２７】
2008010112.tif 000029
【図２８】
2008010112.tif 000030
【図２９】
2008010112.tif 000031
【図３０】
2008010112.tif 000032